(57)【要約】【課題】  遊技面の大きさに関わりなく発射機構を配置することができ、安定した発射待機球の保持と安定した発射を可能としたパチンコ遊技機を提供すること。【解決手段】  外枠１に支持された遊技面５備えた遊技機本体４と、遊技機本体４に対して開閉可能に支持され同遊技面５の前方に配置される扉枠７と、扉枠７の背面であって、遊技面５よりも下方に配置され遊技者のハンドル１５の操作に基づいてパチンコ球を遊技面に向かって発射させる発射機構２３とを備えたパチンコ遊技機において、発射機構２３によるパチンコ球の発射位置を前記扉枠の最下端よりも更に下方に配置させ発射位置を下げ、これに伴って発射案内レール６５下部の発射準備位置にセットされる発射待機球を支持するための遊技球案内プレートを発射案内レール６５に併設した。【選択図】        図１２
2011139955.tif 000002
【特許請求の範囲】
【請求項１】
支持枠体に支持され遊技者が対面して遊技を行う遊技面を備えた遊技台と、
同遊技台に対して開閉可能に支持され同遊技面の前方に配置される扉枠と、
前記扉枠の背面であって、前記遊技台の遊技面よりも下方に配置され遊技者の発射装置の操作に基づいてパチンコ球を遊技面に向かって発射させる発射機構とを備え、
同発射機構によって発射されたパチンコ球に基づいて前記遊技面における所定の遊技動作を実行させるようにしたパチンコ遊技機において、
前記発射機構によるパチンコ球の発射位置を前記扉枠の最下端よりも更に下方に配置させるとともに、同発射位置に配置される発射待機球を支持するための発射待機球支持手段を設けたことを特徴とするパチンコ遊技機。
【発明の詳細な説明】
【技術分野】
【０００１】
本発明は、パチンコ球を遊技面に向かって発射させる発射機構を備えたパチンコ遊技機に関するものである。
【背景技術】
【０００２】
パチンコ球を使用する遊技機の一種であるパチンコ遊技機では、遊技台としての遊技機本体の上部に遊技面を有する遊技盤が配置され、その直下にパチンコ球が流通したり発射機構の一部が配設される領域（これをパチンコ球処理領域とする）が設けられている。ここに、発射機構は遊技者が発射装置としてのハンドルを操作することによってパチンコ球（遊技球）を弾発（発射）させ、発射案内レール上を滑走させて遊技面に遊技球を導くものであって、パチンコ遊技機における基本的な機構の一つである。
図３０〜図３２に示すように、一般に発射案内レール２１１の発射準備位置にセットされた遊技球（発射待機球）はストッパ２１２によって下方から支持されるとともに前方からは上受け皿扉枠２１３の裏面に装着された遊技球案内装置２１４によって支持され、後方からは発射案内レール２１１の背面壁（取り付けリブ）２１１ａによって支持される。すなわち、発射待機球は発射準備位置においてストッパ２１２、遊技球案内装置２１４の側壁及び取り付けリブ２１１ａによって三方から支持（実際には遊技球案内装置２１４及び背面壁２１１ａとの間には若干の隙間が形成され常時支持されるわけではない）されることとなり、この位置における安定した遊技球の発射を可能としている。
【０００３】
このように発射待機球を確実に支持し、安定した発射動作を行うために三方からの支持が必要とされる。そのため、発射案内レールは従来からこの三方からの支持が可能な範囲で設計して配設されるようになっている。ところが、このような発想による設計に影響を与える要因がいくつか存する。
１）近年では遊技機裏面側の機構が複雑化し、かつて見られなかった種々の機構を配設するためにパチンコ球処理領域の縮小が設計課題の一つとして挙げられている。すなわち、種々の機構を配設するにはすでに遊技盤の裏面領域だけでは対応できなくなってきているため現状のパチンコ球処理領域まで拡張したいという要請がある。
２）パチンコ遊技機においては遊技者の興趣をより盛り上げるため、従来より種々の工夫がなされている。その１つとして遊技面を大型化することが考えられる。遊技面が大型化することにより遊技面中央に配置される表示装置の液晶画面を大きくすることが可能となり、迫力ある大画面を遊技者は享受でき遊技者に対するアピール度が増すことが考えられる。また、遊技面が大きくなることは左右への遊技球（パチンコ球）の拡散度が大きくなり遊技自体の視覚的な刺激が増すこととなり、落下する遊技球の落下距離も長くなるため遊技球が入賞口に入賞するかどうかの期待感も増すこととなる。
そのため遊技面の拡張に伴って遊技面下方のパチンコ球処理領域の上下幅を狭く構成したいという要請がある。
ここに、わざわざパチンコ球処理領域を狭くしなくともパチンコ遊技機の全長自体を長くすることでパチンコ球処理領域に従来のような上下幅を確保させることも考えられる。しかしパチンコ遊技機では遊技者が椅子に座って遊技面を正面に見ながらハンドルを操作して遊技を行うという遊技上の特徴がある。人間工学を無視してむやみにパチンコ遊技機の全長自体を長くして対処することはできない。また、パチンコ遊技機はいずれのパチンコホールでも普遍的に使用可能とする必要性から規格化されているためその点からも困難である。
【発明の概要】
【発明が解決しようとする課題】
【０００４】
これらの要望に応えるようにパチンコ球処理領域を狭くした場合には次のようないくつかの問題が生ずる。
１）パチンコ球処理領域を狭くしたことで発射案内レールを下げてしまうと発射案内レールの下方が同領域からはみ出てしまい、発射準備位置において三方からの支持ができなくなることとなる場合がある。すなわち、上記のように遊技球案内装置２１４の側壁による前方からの支持が期待できなくなってしまうからである。
２）このため、あくまで遊技球案内装置２１４の側壁による前方からの支持を期待しようとすると発射案内レールの長さや角度に無理が生じてしまう。つまり、設計に対する制限が大きすぎることとなる。
３）図３３に示すように、遊技面を大きくすることによってパチンコ球を遊技面に導く外レール２０１が拡径されて従来の機種の外レール２０２に比べて外寄りにずれることとなる。そのためこの外レール２０１につながる発射案内レール２０３が従来の発射案内レール２０４のような穏やかな傾斜のままでは連続的に外レール２０１と継ぐことができなくなってしまう。発射されたパチンコ球が無理なく遊技面に導かれるにはどうしても従来の傾斜に比べて発射案内レール２０３を急角度に設定せざるを得ない。すなわち、遊技面を大きくすることによってかえってひろいパチンコ球処理領域を必要し、発射案内レールをかなり下方位置まで下げる必要があり、上記１）と同様の問題が生ずる。
更に、従来の発射案内レールの存していた問題として、発射案内レールの下部方向には発射ハンマや球送りアームを配置する関係上、遊技機本体内部に連通する開口部が必要とされていたが、この開口部からパチンコ球が内部に流入してしまい故障の原因の一つとなっていた。
本発明は、このような従来の技術に存在する問題点に着目してなされたものである。その目的とするところは、遊技面の大きさに関わりなく発射機構を配置することができ、安定した発射待機球の保持と安定した発射を可能としたパチンコ遊技機を提供することにある。
【課題を解決するための手段】
【０００５】
上記の目的を達成するために、請求項１に記載の発明では、支持枠体に支持され遊技者が対面して遊技を行う遊技面を備えた遊技台と、同遊技台に対して開閉可能に支持され同遊技面の前方に配置される扉枠と、前記扉枠の背面であって、前記遊技台の遊技面の下方に配置され遊技者の発射装置の操作に基づいてパチンコ球を遊技面に向かって発射させる発射機構とを備え、同発射機構によって発射されたパチンコ球に基づいて前記遊技面における所定の遊技動作を実行させるようにしたパチンコ遊技機において、前記発射機構によるパチンコ球の発射位置を前記扉枠の最下端よりも更に下方に配置させるとともに、同発射位置に配置される発射待機球を支持するための発射待機球支持手段を設けたことをその要旨とする。
【０００６】
請求項１の発明のような構成では、発射機構は前記扉枠の背面であって、前記遊技台の遊技面の下方に配置されている。この発射機構を発射装置の位置を下げることなく、かつ扉枠の背面に配置するという条件の下で下方に移動させる。これによってパチンコ球の発射位置は前記扉枠の最下端よりも更に下方位置、すなわち発射位置は扉枠の背面位置から下がった位置に配置させられる。このとき、発射位置の下方への移動に伴って発射待機球の支持が下方移動前に比べて十分ではなくなるところ発射待機球支持手段を設けて発射待機球の支持をさせるようにした。
【発明の効果】
【０００７】
請求項１に記載の発明では、発射機構によるパチンコ球の発射位置を前記扉枠の最下端よりも更に下方に配置させるようにするようにし、更に発射待機球支持手段を設けて発射待機球の支持をさせるようにしたため、発射機構の配置位置が従来のように限定されることなく例えば遊技面を拡大させるというような設計変更にも対応できるようになった。
【図面の簡単な説明】
【０００８】
【図１】本発明の実施の形態のパチンコ遊技機の開放した状態を示す概略斜視図。
【図２】同じパチンコ遊技機の分解側面図。
【図３】同じパチンコ遊技機の正面図。
【図４】同じパチンコ遊技機の側面図。
【図５】同じパチンコ遊技機の扉枠を外した状態の正面図。
【図６】同じパチンコ遊技機の遊技盤の正面図。
【図７】同じパチンコ遊技機の遊技機本体の上半身の正面図。
【図８】同じパチンコ遊技機の遊技機本体の上半身の側断面図。
【図９】同じパチンコ遊技機の背面図。
【図１０】同じパチンコ遊技機の機構盤を外した状態の背面図。
【図１１】図１０においてメイン基板周辺を取り外した状態の背面図。
【図１２】同じパチンコ遊技機のパチンコ球処理領域付近の斜め上方からの斜視図。
【図１３】図５におけるＡ−Ａ線での断面図。
【図１４】図５におけるＡ−Ａ線での断面図。
【図１５】図５におけるＢ−Ｂ線での断面図。
【図１６】同じパチンコ遊技機の主通路、バイパス通路及び導出口の断面図。
【図１７】図５におけるＣ−Ｃ線での断面図。
【図１８】同じパチンコ遊技機の上受け皿の平面図。
【図１９】同じパチンコ遊技機の上受け皿の断面図。
【図２０】同じパチンコ遊技機の取り付けベースの平面図。
【図２１】同じパチンコ遊技機の取り付けベースの斜視図。
【図２２】パチンコ球発射機構周辺を透視して見た部分正面図。
【図２３】パチンコ球発射機構周辺を透視して見た部分正面図。
【図２４】パチンコ球発射機構周辺の部分断面図。
【図２５】遊技球案内装置の正面図。
【図２６】遊技球案内装置の断面図。
【図２７】遊技球案内装置の断面図。
【図２８】他の実施の形態のユニット化した発射案内レールと遊技球案内プレートの斜視図。
【図２９】図２８の平面図。
【図３０】従来のパチンコ遊技機の発射案内レール付近の側面図。
【図３１】従来のパチンコ遊技機の発射案内レール付近の上受け皿扉枠を閉塞した状態の側面図。
【図３２】従来のパチンコ遊技機の発射案内レール付近を説明する正面図。
【図３３】従来のパチンコ遊技機と外レールの大きさと発射案内レールの取り付け角度を説明する概略図。
【発明を実施するための形態】
【０００９】
以下、本発明をパチンコ遊技機に応用した実施の形態について図面に基づいて説明する。尚、以下の説明において前面、前方或いは表面側とは遊技者が正対する側をいい、後面、後方或いは背面側とはそれら正対する側の反対側をいう。また、特記なき限り左右とは前面からみた左右方向をいう。
【００１０】
図１及び図５に示すように、パチンコ遊技機の支持枠体としての外枠１は上下左右の各枠板１ａ〜１ｄによって四角形に枠組みされた木製の枠体とされている。下部枠板１ｂ上面には幕板２が配設されている。
外枠１には遊技台としての遊技機本体４が装着されている。遊技機本体４はパチンコ遊技機の構造的な中核を形成するパネル状の構成部材であってヒンジ金具６の回動軸６ａを中心に回動し外枠１に対して図２に示す開閉用金具４ａによって開閉可能にかつ着脱可能に装着されている。
図２に示すように、遊技機本体４を中心としてその他のパネル状の構成部材がその前後方向に積層状に配置されている。まず図２に基づいて各構成部材の概略の配置状態とそれらに付随する主要構成部材について説明し、次いで個々の構成部材について詳述する。
遊技機本体４の上半身に形成された遊技盤取り付けスペース９には遊技盤５が嵌合されている。遊技盤５の前方には扉枠７が配設されている。扉枠７の上方位置にはガラス窓Ｇが嵌合されており、同ガラス窓Ｇの下方位置にはパチンコ球受け皿としての上受け皿８が形成されている。
遊技盤５の後方位置には遊技盤５を背面から覆うように機構盤１０が配設されている。機構盤１０の直下には取り付けベース１１が配設されている。遊技盤５の下方位置にはカバープレート１３が配設されている。カバープレート１３は遊技機本体４に対して固着されている。カバープレート１３には前方に突出形成した下受け皿１４が形成されている。カバープレート１３は従来の機種における下部カバープレートに相当する。単にカバープレート１３としたのは本実施の形態では上受け皿８の扉枠７側への移動に伴って本来上受け皿８が配設される上部カバープレートが不要となっているからである。下受け皿１４の右側方には操作ハンドル１５が取付けられている。遊技機本体４において遊技盤５とカバープレート１３との間の略長方形の領域はパチンコ球処理領域２１とされている。
【００１１】
まず、遊技機本体４及び遊技盤５について詳しく説明する。
図１、図７及び図８に示すように、遊技機本体４の上半身には横架フレーム１８及び左右の縦フレーム１９によって額縁状に縁取られた遊技盤取り付けスペース９が形成されている。遊技盤取り付けスペース９の下方は図１０に示すようにパチンコ球処理領域２１とされ、同パチンコ球処理領域２１の下方には更にパチンコ球発射機構２３及び音響機構２４が配設されている。遊技盤５はパチンコ球処理領域２１の天板２２上に載置され遊技盤取り付けスペース９に嵌合されている。図６に示すように、遊技盤５は略正方形のパネル体であって、遊技盤５の前面にほぼ垂直に配置された遊技面２０上には内レール２５及び外レール２６によって包囲された略円形の遊技領域２７が形成されている。遊技領域２７内には入賞口２８及び可変表示装置２９等が所定位置に配設されている。内レール２５の最下部位置にはアウト球回収口３０が形成されている。遊技が終了して入賞口２８に入賞しなかったパチンコ球（遊技球）はアウト球としてアウト球回収口３０
から後方に退場する。尚、釘については図示が省略されている。
図７及び図８に示すように、遊技盤取り付けスペース９前面には前記遊技領域２７に応じた形状に縁取られた幕板３１が形成されている。幕板３１は天板２２上に載置された遊技盤５を保持するとともに前方への脱落を防止する機能を有する。
図３及び図５に示すように遊技領域２７は出願人の従来の機種（上受け皿が遊技機本体側に配設されているもの）と比較して大径とされるとともに、可変表示装置２９の表示画面２９ａも大型化して遊技領域２７内においてかなり大きな面積を占めている。これは上受け皿を遊技盤の下方位置に移動させることで上受け皿に関する機構を分散でき、その結果遊技盤を上下方向により長く構成することができるようになったことが主たる理由である。
【００１２】
図１１に示すように、遊技盤５の裏面であって可変表示装置２９の下方位置には３箇所にセーフ球集合樋３２が配設されている。セーフ球集合樋３２の下方にはセーフ球集合板３４が配設されている。セーフ球集合樋３２は入賞したパチンコ球（セーフ球）が遊技領域２７から退場後に通過する背面側の通路であって、セーフ球集合樋３２に導かれたセーフ球はセーフ球集合板３４の内部（遊技盤５との間でなす隙間）を通過して下方に落下する。
図９〜図１１に示すように、セーフ球集合樋３２及びセーフ球集合板３４の背面にはメイン基板３３が配設されている。メイン基板３３には遊技内容に応じたプログラムやこれを起動させるためのプログラム等が個々の機種に応じて封印されて配設されている。
【００１３】
次に遊技盤５のパチンコ球処理領域２１の周辺の構造について説明する。
パチンコ球処理領域２１には後述する払い出し機構４０から供給されるパチンコ球を前面（遊技者側）に導く導入通路４５とパチンコ球を外部に導く排出通路４６とが配設されている。まず導入通路４５について説明する。
導入通路４５は上受け皿８にパチンコ球を導く主通路４７と上受け皿８が一杯になった場合に下受け皿１４方向にオーバーフローしたパチンコ球を導くバイパス通路４９とを備えている。図９〜図１１に示すように主通路４７は遊技機本体４の裏面側に導入口５０を備え、図１、図５等に示すように遊技機本体４の表面側の導出口５１に連通されている。図１３、図１４及び図１６に示すように、主通路４７内には導入口５０から導入したパチンコ球を前方に流下させる流下面４７ａが形成されている。流下面４７ａには前方に向かって緩やかな傾斜が設けられている。流下面４７ａはその途中で途切れており、導出口５１は空間を隔てた流下面４７ａ前方に配置される。
【００１４】
図９〜図１１並びに図１５及び図１６に示すようにバイパス通路４９は遊技機本体４の裏面側に導入口５２を備え遊技機本体４前面に配設されたオーバーフロー通路としての下受け皿用通路５３内に連通されている。バイパス通路４９内には導入口５２から導入したパチンコ球が前方に流下する流下面４９ａが形成されている。流下面４９ａには前方に向かって緩やかな傾斜が設けられている。
図１、図５、図９〜図１１及び図１６に示すように下受け皿用通路５３は遊技機本体４前面左側から右方向に横行して前記下受け皿１４の流入口１４ａに連通されている。下受け皿用通路５３はパチンコ球処理領域２１の前面左方向においてバイパス通路４９の流下面４９ａから流下するパチンコ球を下方に落下させる第１の通路５３ａと落下するパチンコ球をスムーズに略９０度右方に方向転換させる曲面に形成された案内部５３ｂとパチンコ球を斜め右下方に案内する第２の通路５３ｃから構成される。第２の通路５３ｃは遊技機本体４の左右方向の略中央位置において下受け皿１４の流入口１４ａに接続されている。図１６に示すように、第２の通路５３ｃの起点位置の上方は開放空間５４とされて前記主通路４７の流下面４７ａの下端部が現れている。
【００１５】
図１、図５、図１３及び図１４に示すように、導出口５１にはフラップ５５が立設されている。フラップ５５は回動軸５５ａによって回動可能に軸支されるとともに図示しないバネによって付勢されている。図１４に示すように、扉枠７を閉鎖させることで後述する差し込み受け皿５７が導出口５１から開放空間５４に差し込まれることとなる。差し込み受け皿５７の流下面５７ａは開放空間５４に差し込まれた状態で主通路４７の流下面４７ａよりも若干低い位置に配設され、同流下面４７ａを流下するパチンコ球をさらにすみやかに下流に流下させるために前方に向かって緩やかな傾斜が設けられている。
差し込み受け皿５７の差し込みに伴ってフラップ５５は開放空間５４側に倒伏させられるとともに、開放空間５４によって途切れた流下面４９ａの下流位置に導出口５１方向への橋が架けられることとなる。この状態で主通路４７の流下面４７ａを流下してきたパチンコ球は差し込み受け皿５７上に流入し、更に導出口５１から上受け皿８に導かれることとなる。
一方、扉枠７を開放した際には図１３に示すようにフラップ５５はバネの付勢力によって起立位置に復帰する。この状態ではパチンコ球は導出口５１には導かれない。すなわち、扉枠７と一体的に開放されてしまった上受け皿８にパチンコ球を導くことはできないため上流から流下するパチンコ球を下受け皿１４に導く必要がある。すなわち、差し込み受け皿５７がなくなるためパチンコ球は開放空間５４から下方の第２の通路５３ｃ方向に落下し下受け皿１４に流入することとなる。このとき、勢いよく流下面４９ａを流下してきたパチンコ球はフラップ５５によって導出口５１からの外部への飛び出しが防止される。
図１６に示すように、開放空間５４と隣接する第１の通路５３ａとはその途中に隔壁がなく連通状態とされている。そのため、主通路４７に導かれるパチンコ球が多すぎて流下できなくなった場合にはそのオーバーフローしたパチンコ球は主通路４７から差し込み受け皿５７に至る途中で開放空間５４から第１の通路５３ａの方向に移動して下受け皿用通路５３に導かれる（つまり下受け皿１４に流入する）ようになっている。つまり、バイパス通路４９を通らないで主通路４７に導かれたパチンコ球が遊技機本体４前面に至った段階でオーバーフロー状態となると、下受け皿１４方向に迂回することとなっている。
【００１６】
ここに、従来の機種においては扉枠を開放した際に上受け皿への通路が遮断されるためパチンコ球がこぼれないように下受け皿へパチンコ球を導く通路Ａが遊技機本体に形成されていた（通路Ａは本実施の形態の下受け皿用通路５３のように周囲が完全に覆われた通路ではなく上方が開放されたレール状部材に過ぎない）。そして従来ではオーバーフローしたパチンコ球を下受け皿に導く通路Ｂがこの通路Ａとは別体に機構盤に形成されていた。本実施の形態１のような構成であればバイパス通路４９と下受け皿用通路５３によってオーバフローしたパチンコ球を下受け皿１４に導くとともに扉枠７を開放した際にこぼれるパチンコ球も同時に開放空間５４から下受け皿用通路５３を通って下受け皿１４に導くことができる。すなわち、遊技機本体４に周囲が包囲された下受け皿用通路５３を設けたことで、従来のような通路Ａ及び通路Ｂをそれぞれ設ける必要がなくなる。但し、扉枠７の閉塞時に開放空間５４からパチンコ球が下受け皿１４方向に流れてしまわないように従来の機種にはない差し込み受け皿５７を設けたわけである。
【００１７】
次に排出通路４６について説明する。図９〜図１１に示すように、排出通路４６はアウト球回収口３０から落下してくるアウト球及びセーフ球集合板３４から落下してくるセーフ球を受け止めて下流（図１１では右方）に流下させる第１の傾斜面５８と、第１の傾斜面５８を流下するアウト球及びセーフ球を受け止めて流下方向を逆転させて（図１１では左方）中央寄りにアウト球及びセーフ球を導く第２の傾斜面５９とを備えている。第２の傾斜面５９の下端には図示しない外部レールと連通する排出口６０が形成されている。
ここに、従来の機種ではアウト球とセーフ球を排出する排出通路は本実施の形態のような遊技機本体４に形成されているのではなく、その後方位置にある機構盤側に形成されるような構成を採用していた。本実施の形態においてこのように排出通路を遊技機本体４側に形成するようになった理由は主として上記取り付けベース１１を機構盤１０とは別体で構成したいという要請（その理由については後述する）からである。近年の機種ではセーフ球処理装置を廃した構造とされており、アウト球及びセーフ球を別個に回収せずとも構わなくなりアウト球及びセーフ球の回収機構は簡単な構造となっている。そのため敢えて機構盤側に設けずとも本実施の形態のように遊技機本体４側に設けることが可能となり、機構盤１０の下部にスペースを確保して取り付けベース１１を配設させることができるようになったものである。
【００１８】
次に、パチンコ球発射機構２３について説明する。図１、図９〜図１２、図２２及び図２３に示すように、遊技機本体４の右下方寄り（裏面から見ると左下方寄り）にはパチンコ球発射機構２３が配設されている。パチンコ球発射機構２３は前記操作ハンドル１５、球送りアーム６２、発射ハンマ６３、モータ装置６４、図示しない発射カム，図示しないコイルバネ等から構成されている。
モータ装置６４は遊技者が操作ハンドル１５のハンドルリング１５ａに触れていることを条件に所定タイミング（本実施の形態では一分間に１００回の割合）で回転する。モータ装置６４の回転軸には発射カムが固着され、発射カムが回転することによりコイルバネの付勢力に抗して 発射ハンマ６３を間欠的に駆動させる。発射ハンマ６３は回転した発射カムと非係合となることによってコイルバネの付勢力によって一瞬に元の位置に戻ることとなる。この時の勢いによって遊技球が発射（弾発）される。操作ハンドル１５のハンドルリング１５ａを回動させることでコイルバネの付勢力を制御し、発射ハンマ６３のパチンコ球（遊技球）への当接速度を調節するようになっている。
球送りアーム６２は発射ハンマ６３の駆動タイミングに同期して駆動され図２２の下部位置と図２３の上部位置の両位置を取る。球送りアーム６２は下部位置においては図２３に示すようにカバープレート１３の上端位置（つまり、扉枠７の最下端位置）よりも下方位置に配置され、上部位置においてはカバープレート１３の上端位置（つまり、扉枠７の最下端位置）よりも上方に配置される。球送りアーム６２は上部位置において後述する遊技球案内装置８７のアンクル１１５を押動して新たな遊技球を発射案内レール６５に導入させる。
【００１９】
図１及び図１２に示すように、前記下受け皿用通路５３の右方にはステンレス合金のような金属素材からなる発射案内レール６５が配設されている。発射案内レール６５は取り付けリブ６５ａ及び取り付け軸受け６５ｂ等を介して背面壁６６に対してビス７１によって固着されている。
発射案内レール６５の下端（右端）は前記発射ハンマ６３の側方に配置され、発射ハンマ６３の進退方向と重複して左斜め上方に向かって延出されている。発射案内レール６５上端から先は発射されたパチンコ球（遊技球）がジャンプして飛び越えるジャンプ領域６７が形成されている。ジャンプ領域６７の下方には前記下受け皿用通路５３の第２の通路５３ｃを構成する天板６８が配置されている
。天板６８上面は右下方に向かって下がる傾斜面とされているため、発射されても遊技面２０に至らず戻ってきてしまった勢いのない遊技球がジャンプ領域６７から天板６８上に落下し、その遊技球は天板６８上を右方向に流下して発射案内レール６５の下方から返却通路６９内に導入されるようになっている。返却通路６９は下受け皿１４の流入口１４ａに連通されている。取り付けリブ６５ａ前面には発射案内レール６５上にセットされた遊技球を支持するストッパ７９が固着されている。発射案内レール６５上で遊技球がストッパ７９にて支持されている位置を発射準備位置とする。
【００２０】
ここに図５、図２２及び図２３に示すように、前方から発射案内レール６５を正視した場合発射案内レール６５の下端寄りはカバープレート１３の上端よりも若干下方位置に配置される。
つまり、発射案内レール６５の下端寄りは前方からでは正視できない遊技機本体４内の隠れた位置に配置されることとなっている。遊技盤５の上下幅が上記のように拡張され従来の機種に比べて下方位置まで進出するようになったことに伴い発射案内レール６５を全体に下方位置にずらしたことによるものである（ずらした詳しい理由については上記従来の技術を参照）。本来ならば発射案内レール６５が下がると操作ハンドル１５位置も下げるようにすることでこのように発射案内レール６５の下部が隠れた状態になることはない。しかし、上記発明が解決しようとする課題で説明したように操作ハンドル１５位置を下げることはできない。そこでこのように発射案内レール６５の長さを保持させたまま全体的に下方位置に配置するようにしたものである。
しかし扉枠７は閉塞状態でパチンコ球処理領域２１の前面を覆うことになるものの、このようにカバープレート１３の上端より下がった部分についてはその前面を覆うことはない。
ところで、図３０〜図３２に示すように、従来の機種では発射案内レール２１１の発射準備位置にセットされた遊技球（発射待機球）はストッパ２１２によって下方から支持されるとともに前方からは上受け皿扉枠２１３の裏面に装着された遊技球案内装置２１４によって支持され、後方からは発射案内レール２１１の背面壁（取り付けリブ）２１１ａによって支持される。すなわち、発射待機球は発射準備位置においてストッパ２１２、遊技球案内装置２１４の側壁及び取り付けリブ２１１ａによって三方から支持（実際には遊技球案内装置２１４及び背面壁２１１ａとの間には若干の隙間が形成され常時支持されるわけではない）されることとなり、この位置における安定した遊技球の発射を可能としている。
ところが、本実施の形態のようなカバープレート１３の上端から下方に隠れてしまっている発射準備位置ではこのような遊技球案内装置２１４の側壁による遊技球の支持は期待できない。そこで、本実施の形態では図１２、図１７、図２２及び図２３に示すように発射案内レール６５の最下端位置に隣接して発射待機球支持手段としての遊技球案内プレート７０を配設させている。
【００２１】
遊技球案内プレート７０は扉枠７側の上受け皿８から発射案内レール６５上に供給された遊技球の前方への脱落を防止する。すなわち、図１２、図１７、図２２及び図２３に示すように、発射準備位置に隣接した位置（前方位置）において同プレート７０は発射案内レール６５の最下端よりも若干高い位置であって、前方側において発射待機球との間にごく僅かの余裕を持って配設される。これによって、発射案内レール６５の発射準備位置に配置される発射待機球は遊技球案内プレート７０と取り付けリブ６５ａとによって前後から挟まれてることとなるとともにストッパ７９によって下方から支持されるため遊技球に対して前後及び下方の三方向から支持（実際には発射待機球と遊技球案内プレート７０及び取り付けリブ６５ａとの間には若干の隙間が形成され常時支持されるわけではない）す
ることとなるため正確な発射が可能となるわけである。図２２に示すように、本実施の形態では発射待機球は発射準備位置において発射案内レール６５の最下端よりも若干上方側にて支持され正視状態でその上半身がわずかにカバープレート１３の上端から露出する。
ここに、パチンコ球発射機構２３付近では発射ハンマ６３や球送りアーム６２の駆動の際の余裕を取る必要から遊技機本体４内部に連通する開口部Ｈ（空間）が形成されている。このような開口部Ｈは従来の機種も同様に形成されていた。そのため、扉枠７開放時にパチンコ球処理領域２１の前面は前方側が広く開放されてしまうと場合によっては上方から落下したパチンコ球がこの開口部Ｈから遊技機本体４内部に落ち込んでしまう可能性があった。遊技球案内プレート７０によって開口部Ｈが塞がれる（すべてではない。特に上方からの落下が著しいと考えられる発射案内レール６５下部より前方位置である）こととなり、このようなパチンコ球の遊技機本体４内部に落ち込みが防止されることとなっている。
遊技球案内プレート７０の側方には周壁７０ａが形成されている。周壁７０ａは遊技球案内プレート７０上に落下したパチンコ球が完全に塞がれていない連通穴から遊技機本体４内に流下していかないように開口部Ｈ方向へのパチンコ球の流下を防止するものである。
カバープレート１３の下受け皿１４の左方には灰皿７２が配設されている。本実施の形態ではこの灰皿７２の裏面に前記音響機構２４の図示しないスピーカが配設されている。図１、図５及び図１２に示すように、発射案内レール６５の右方には鍵穴７３が形成されている。この鍵穴７３は遊技機本体４に対する扉枠７の開閉をつかさどるものである。
【００２２】
次に、扉枠７について詳述する。
図１〜図４に示すように、遊技盤５及びパチンコ球処理領域２１の前面には扉枠７が配設されている。扉枠７はヒンジ金具６の回動軸６ａを中心に回動し（つまり遊技機本体４の回動軸と同軸で）遊技機本体４に対して開閉可能にかつ着脱可能に装着されている。扉枠７の下端位置はほぼカバープレート１３の上端位置と重複する。扉枠７は略長方形の外形を有し、中央にほぼ円形の大型の窓穴７５が形成されている。窓穴７５を円形としたのは遊技盤５の遊技面９の前記遊技領域２７に対応させたものである。窓穴７５には遊技盤５の遊技面９を露出させるためのガラスＧがはめ込まれている。扉枠７の後面側であって窓穴７５周縁には補強フレーム７４が配設されている。扉枠７の前面側であって窓穴７５の周縁には装飾用の装飾パネル７６が所定位置に配設されている。各装飾パネル７６内には図示しないランプが配設されメイン基板３３による制御に基づいて点滅させられる。
窓穴７５の下方位置には球貸し用の操作ボタン７７とカードの残量を表示する７セグ表示の表示パネル７８が配設されている。
【００２３】
操作ボタン７７及び表示パネル７８の下方には上受け皿８が配設されている。図１８及び図１９に示すように、上受け皿８は導入されてきたパチンコ球がプールされる流下面８１と流下面８１を包囲する包囲壁８２を備えている。流下面８１には図示しないパチンコ球貸し出し装置の配球ノズルから放出されたパチンコ球が落下当接する。流下面８１は右側下がりの傾斜に形成されるとともに、下流側（右側）が徐々に狭くなってパチンコ球が縦列配置されるような狭窄通路８４が形成されている。
上受け皿８には上流側（左側）の扉枠７壁面に形成されたパチンコ球導入口８３から導入されたパチンコ球がプールされると同時に徐々に下流側に流下して狭窄通路８４に至り、更に狭窄通路８４最下流に配置された供給口８５から扉枠７の背面側に導かれる。図１に示すように、供給口８５の扉枠７の対応する背面位置には前記遊技球案内プレート７０に遊技球を導く遊技球案内装置８７が配設されている。遊技球案内装置８７は上受け皿８の供給口８５から流下するパチンコ球を前記発射案内レール６５上に落下させる装置である。
【００２４】
図２５〜図２７に示すように、遊技球案内装置８７内部にはパチンコ球が流下する供給口８５と連通する通路８９が形成されている。同通路８９の下流側にはパチンコ球を一つずつ順に落下させるアンクル１１５が配設されている。アンクル１１５は回動軸１１６によって片持ち状に保持され、重錘１１７によって常時図上時計回りのトルクが付与されている。アンクル１１５はストッパ１１８によって図２５及び図２６に示す位置（この位置を待機位置とする）以上に時計回りに回動することが規制されている。アンクル１１５の右方には通路８９を流下するパチンコ球が当接する当接突部１１９と、１つ分のパチンコ球のみを保持できる保持凹部１２０が形成されている。保持凹部１２０内にはパチンコ球を後方（パチンコ球発射機構２３方向）に導くために後方に向かって下がる傾斜床面１２
０ａが形成されている。
アンクル１１５は前記球送りアーム６２によって押動させられパチンコ球をパチンコ球発射機構２３側に供給する。球送りアーム６２は発射ハンマ６３の発射動作開始と同時に図２３の状態、すなわち上部位置まで進出し、図２７に示すようにアンクル１１５を反時計回りに回動させる。これによって、いままで当接突部１１９に当接させられていた最下流のパチンコ球は保持凹部１２０内に収納されることとなる。そして、発射ハンマ６３が発射動作を終了して原位置に復帰すると同時に球送りアーム６２は後退する（図２２の状態、すなわち下部位置まで後退する）ため、アンクル１１５は自重によって待機位置に復帰する。遊技球案内装置８７では発射ハンマ６３の一回の発射動作毎にこのような球送りアーム６２の進退によるアンクル１１５の回動運動が行われ発射案内レール６５の発射準備位置上にパチンコ球が供給される。
【００２５】
遊技球案内装置８７の側方には上受け皿８に溜まったパチンコ球を遊技者が自主的に下受け皿１４に回避させる際の迂回通路１２１が形成されている。
図１及び図１４に示すように、パチンコ球導入口８３の扉枠７の対応する背面位置には前記差し込み受け皿５７が後方に向かって突設形成されている。差し込み受け皿５７は扉枠７が遊技機本体４前面に装着された状態で前記導出口５１から開放空間５４に差し込まれパチンコ球処理領域２１から供給されたパチンコ球をパチンコ球導入口８３から上受け皿８に導く。前記操作ボタン７７及び表示パネル７８の裏面側には球貸し用基板が内蔵された球貸し用基板ボックス８８が配設されている。
【００２６】
図１８及び図１９に示すように、上受け皿８の流下面８１を包囲する包囲壁８２はパチンコ球導入口８３の周囲が他の部分よりも高く形成された高壁部８２ａとされている。高壁部８２ａの上端はパチンコ球導入口８３の上端位置よりも高い位置とされており、正面から正視した状態でパチンコ球導入口８３は包囲壁８２及び高壁部８２ａによって完全に覆われている。高壁部８２ａ（及び扉枠７の壁面）で包囲された流下面８１の左方位置（パチンコ球導入口８３の前方）はパチンコ球貸し出し装置の配球ノズルからパチンコ球が落下当接する位置である。従って、遊技盤５のサイズが大きくなって従来の機種に比べて上受け皿８が下方に配置されることとなり配球ノズルから流下面８１までの距離が長くなったとしても、高壁部８２ａによって配球ノズルから放出されたパチンコ球が飛び出すことがない。
ここに、従来の機種では上受け皿は扉枠とは別体に上部カバープレートに配設されていた。上部カバープレートは扉枠の下方位置に配設される部材である。そのため、扉枠を開放した際に上部カバープレートに設けられた上受け皿の壁の高さは扉枠の開放の邪魔とならないように（干渉しないように）高さに制限を設けざるを得なかった。そのためパチンコ球貸し出し装置の配球ノズルから上受け皿までの距離が長いと上受け皿に落下したパチンコ球が壁を乗り越えて外に飛び出してしまう可能性があった。従って、配球ノズルの位置はできる限り低くなるように設定されていた。また、壁が余り高くなりすぎないように配慮しながら上部カバープレートをデザインしなければならずデザイン上の制限があった。ところが、本実施の形態では上受け皿８は扉枠７側にあって扉枠７と一体となって開放されるため、高壁部８２ａの高さには制限はない（実際には遊技盤５の遊技面２０にかからない程度にする必要がある）。
【００２７】
次に、機構盤１０について説明する。
図２、図４及び図９に示すように、遊技盤５の背面側には機構盤１０が遊技機本体４に対して開閉可能に装着されている。機構盤１０は上下に配設されたヒンジ部９０（本実施の形態では下側のみ表示）によって遊技機本体４に支持されており、盤面に散点的に配置された開閉ピン９１の引き出し及び押し込みによって遊技機本体４に対して着脱可能とされる。機構盤１０の中央付近には大型開口部１０ａが形成されている。大型開口部１０ａの上半分はカバー９２によって背面から覆われている。
図９に示すように、遊技機本体４に対して機構盤１０が閉塞された状態で同大型開口部１０ａから遊技盤５の背面に配設された可変表示装置２９及びメイン基板３３が露出される。可変表示装置２９はカバー９２によって背面から覆われるが、メイン基板３３は目視確認のために覆われない。
機構盤１０の上部にはタンクＴが配設されている。タンクＴの下方にはタンクレール９３が配設されている。タンクレール９３はタンクＴから導入されたパチンコ球を図９において左方から右方に移動させる。本実施の形態では従来の機種に比べて遊技盤５が上方にも拡張されているためタンクＴは従来の機種に比べて若干浅めに形成されている。タンクレール９３の右方には下方に向かって払い出し装置ユニット９５が配設されている。払い出し装置ユニット９５は払い出し装置９６と、パチンコ球を払い出し装置９６に導く第１の流路９７と、パチンコ機の廃棄等によってパチンコ機を島から取り外す際に同第１の流路９７内の球抜きを行うための球抜き機構９８と、球抜きを行う際にパチンコ球が排出される球抜き流路９９と、払い出し装置９６の下流の第２の流路１００と、ベル１０１と、ベル１０１の下流の第３の流路１０３とより構成されている。
本実施の形態では２基の払い出し装置９６はセーフ球の発生に基づいて所定量のパチンコ球（賞球）を払い出す。パチンコ球は第２の流路１００を流下し途中ベル１０１に当接する。ベル１０１に当接したパチンコ球は第３の流路１０３を斜め下方（図９において左斜め下方）に導かれる。第３の流路１０３を流下したパチンコ球は取り付けベース１１内に至る。機構盤１０の背面を流下してきたパチンコ球はこの取り付けベース１１において前方に方向転換させられる。
【００２８】
図２、図４及び図９に示すように、機構盤１０の下方には取り付けベース１１が配設されている。取り付けベース１１は上下に配設されたヒンジ部１０５によって遊技機本体４に開閉可能に支持されており、図９において左方に配置された開閉ピン１０７の引き出し及び押し込みによって遊技機本体４に対して着脱可能とされている。図９、図２０及び図２１に示すように、取り付けベース１１には発射基板が収納される発射基板ボックス１１ａと、電源基板が収納される電源基板ボックス１１ｂが固着されている。図２１に示すように、払い出し基板が収納される払い出し基板ボックス１１ｃは着脱可能とされている。これは、不正防止の点から払い出し基板ボックス１１ｃのみを別途ユーザに供給する必要のためである。
払い出し基板ボックス１１ｃの装着位置の背面には払い出し装置９６から流下するパチンコ球を遊技機本体４方向に導く主通路用中間通路１０９及びバイパス通路用中間通路１１０が形成されている。すなわち、機構盤１０の背面を流下してきたパチンコ球はこの取り付けベース１１において前方に方向転換させられることとなる。主通路用中間通路１０９は遊技機本体４の前記主通路４７に連通されており、第３の流路１０３の下方に配置される。基本的に払い出しされたパチンコ球は第３の流路１０３に沿って主通路用中間通路１０９方向に導かれる。バイパス通路用中間通路１１０は遊技機本体４の前記バイパス通路４９に連通されており、第３の流路１０３から分岐されたバイパス流路１１１の下方に配置される。パチンコ球の払い出し量が多く主通路用中間通路１０９への流入ができない状態でパチンコ球はバイパス流路１１１に迂回させられる。
【００２９】
ここに、取り付けベース１１は機構盤１０とは別体に構成されている。従来の機種では発射基板、電源基板及び払い出し基板は機構盤に配設されており、かつ必ずしもこのようにまとまってチェックしやすい下方位置に配置されているわけではない。本実施の形態でこのように取り付けベース１１を機構盤１０と別体に構成するようになった理由は主として１）従来の機構盤が大型化、重量化してきたこと、２）別体とすることでパチンコ遊技機の組み立て作業が迅速化すること、３）逆に再利用する際の取り外しの容易さ等の理由からである。
更に、本実施の形態ではパチンコ遊技機としてゲーム内容に関わらず共通性のある基板を取り付けベース１１に機構盤１０とは別体としてまとめることで、保守・点検がしやすくなった。また、このように取り付けベース１１を設けることができるのは上記のように遊技機本体４のパチンコ球処理領域２１に排出通路４６を移動させたことにより機構盤１０位置のスペースに余裕ができたことによるものでもある。図９〜図１１に示すように、機構盤１０の上下幅は遊技盤５の上下幅とほぼ同等に構成されているため、機構盤１０を開放することによって取り付けベース１１は開放あるいは取り外しをしなくとも遊技盤５の保守・点検更に交換等の作業を行うことができる。
また、発射基板ボックス１１ａ、電源基板ボックス１１ｂ及び払い出し基板ボックス１１ｃを排出通路４６から隔絶することによってパチンコ球同士が接触する際に発生する静電気由来のノイズ（電気的信号）の影響を受け難くすることも取り付けベース１１を別体で構成する理由である。
【００３０】
次に、このように構成された本実施の形態のパチンコ球発射機構２３付近の作用について説明する。
遊技者が操作ハンドル１５を操作して遊技を開始する。発射ハンマ６３が駆動させられ（最初の一回目の発射動作では発射準備位置にパチンコ球がないので空打ちとなる）、発射ハンマ６３の駆動に同期して球送りアーム６２が駆動される。そして、球送りアーム６２に押動されてアンクル１１５は図２５の状態から図２７の状態となる。そして、発射ハンマ６３の発射動作が完了すると同時に球送りアーム６２が戻りアンクル１１５は図２６に示すように原位置に復帰して、保持凹部１２０から後方の発射案内レール６５上にパチンコ球を落下させる。ここでカバープレート１３の上端位置よりも上方位置にあったパチンコ球は落下とともにカバープレート１３の上端位置よりも下方位置にある発射案内レール６５の最下端位置（発射準備位置）にセットされることとなる。このとき、パチンコ球は技球案内プレート７０と取り付けリブ６５ａとによって前後から若干の隙間を有して挟まれることとなる。所定のタイミングで発射ハンマ６３の発射動作が行われる度に同期して球送りアーム６２が駆動されアンクル１１５が押動されてパチンコ球が発射案内レール６５の発射準備位置にセットされ続けることとなる。
【００３１】
このように構成することで本実施の形態では次のような効果を奏する。
（１）遊技盤５の遊技面９が大きくなったことによりパチンコ球発射機構２３が配設されるパチンコ球処理領域２１のスペースの上下幅が少なくなってしまうこととなった。しかし、本実施の形態では発射案内レール６５を短くするようなパチンコ球発射機構２３を無理に狭くなったスペースに合わせるような措置はとらずに、遊技球の発射に支障のないように従来と同様の十分な発射案内レール６５の長さを確保することができることとなる。
（２）発射案内レール６５の発射準備位置が下降して正面から正視できない位置に配置されることにともなって、発射ハンマ６３や球送りアーム６２のように発射時に遊技球の発射に直接関連するパチンコ球発射機構２３の部分が完全にカバープレート１３の上端位置よりも下方、つまり遊技機本体４の内部に収納できることとなった。
そのため、扉枠７を解放して各種作業をする際に作業者がこれら発射に微妙な影響を与える部分に誤って触れることが極力防止されることとなる。
（３）発射案内レール６５の発射準備位置が下降することによって従来のように例えば上部カバープレートによって発射準備位置にある遊技球を前方から保持するというような設計が困難になった。しかし、上記のように遊技球案内プレート７０を発射準備位置の前方に配置したため、発射準備位置において遊技球は遊技球案内プレート７０及び取り付けリブ６５ａによる前後からの支持と下方からのストッパ７９による支持によって三方から確実に支持されることとなって発射準備位置から前方に脱落することなく正確で安定した発射が可能となる。
（４）従来からパチンコ球発射機構２３付近では発射ハンマ６３や球送りアーム６２の駆動の際の余裕を取る必要から遊技機本体４内部に連通する開口部Ｈ（空間）が形成されている。扉枠７開放時にパチンコ球処理領域２１の前面は前方側が広く開放されてしまうと場合によっては上方から落下したパチンコ球がこの開口部Ｈから遊技機本体４内部に流入してしまう（落ち込んでしまう）可能性があった。ところが、上記のように遊技球案内プレート７０を発射案内レール６５の下端寄り前方に配置したため、開口部Ｈが塞がれることとなり、このようなパチンコ球の遊技機本体４内部への流入してが防止されることとなっている。更に、遊技球案内プレート７０には遊技球案内プレート７０上に落下したパチンコ球が開口部Ｈ方向に流下していかないように周壁７０ａが形成されているため、更に確実にパチンコ球の遊技機本体４内部への流入が防止される。
【００３２】
尚、この発明は、次のように変更して具体化することも可能である。
・上記実施の形態では扉枠７に上受け皿８が一体化されており、扉枠７とともに上受け皿８も開放されて発射案内レール６５が露出されることとなっていた。しかし、扉枠と上受け皿用の受け皿扉枠が別体であったりそもそも上受け皿がなく扉枠だけ（つまり後述する遊技球が内部に封入されているタイプ）のパチンコ遊技機に応用するようにしても構わない。
・遊技機本体４を金属製素材より構成し、長期間使用可能とした機種に応用するようにしてもよい。
・上記実施の形態では発射準備位置において遊技球は正視状態でカバープレート１３の上端から若干露出するような位置関係にあった。しかし、遊技盤５の遊技面９の設計によってはもっと発射案内レール６５は下方位置に配置されて発射準備位置にセットされた遊技球が完全に隠されるような位置関係であっても構わない。
・上記実施の形態では保持手段としての遊技球案内プレート７０を発射案内レール６５とは別体として配設していた。すなわち、上記実施の形態では遊技球案内プレート７０遊技機本体４側に装着されるようにしていたが、図２８及び２９に示すように、遊技球案内プレート７０を発射案内レール６５とプレス成形にて同時に成形するようにしたり、別体でも発射案内レール６５自体に前もって装着してユニット化しておいてもよい。このようにユニット化することで特に取り付けスペースに限りがあるパチンコ球発射機構２３付近における取り付け作業が簡略化される。
・発射案内レール６５の発射準備位置における前後の保持手段として上記実施の形態では遊技球案内プレート７０と取り付けリブ６５ａで実現されていた。しかし、これらに限られるものではない。また、遊技球案内プレート７０の形状は上記では平板状であったが、この形状は設計変更可能である。要は、パチンコ球を発射準備位置において確実に保持できれば足る。
・保持手段としての遊技球案内プレート７０は容易に着脱できるようにしてもよい。上記実施の形態では発射案内レール６５は金属素材であるため長持ちするが、遊技球案内プレート７０が金属素材でなければ経年劣化は発射案内レール６５に比べて著しく早い。その場合に遊技球案内プレート７０が容易に着脱できて交換が容易であれば発射案内レール６５をそのまま使用することができるため無駄がない。
・保持手段としての遊技球案内プレート７０は着脱できなくとも作業時等の本来の使用を必要としな際に邪魔にならないような位置に退避するようにしてもよい。
・上記遊技球案内プレート７０には遊技球案内プレート７０上に落下したパチンコ球が更に遊技球案内プレート７０上を流下して遊技機本体４内に流入しないように周壁７０ａを形成するようにしたが、要は流下が防止されればよいため周壁７０ａに限定されるものではない。例えば遊技球案内プレート７０を遊技機本体４内に流入しない方向に傾斜させて流下しないように集合させるようにしてもよい。
・上記実施の形態のような「従来に比べて大型化したパチンコ遊技機」以外の従来の機種に応用してもよい。例えば、上記実施の形態では大型化に伴って扉枠７と上受け皿８とが一体化しているが、上受け皿８が扉枠７とは別体で開閉される従来の機種に応用することももちろん構わない。
・高壁部８２ａを形成しなくとも構わない。また、包囲壁８２や高壁部８２ａの形状は適宜変更可能である。
・本実施の形態はいわゆる現金機以外のＣＲ機にも応用可能である。
・上記実施の形態では外部からパチンコ球の供給を受けるタイプのパチンコ遊技機であったが、一定量のパチンコ球を内部に封入してこれを循環させて遊技するタイプのパチンコ遊技機に応用しても構わない。
その他、本発明の趣旨を逸脱しない態様で実施することは自由である。
【００３３】
本発明の目的を達成するために上記実施の形態から把握できるその他の技術的思想について下記に付記として説明する。
（１）同扉枠には一体化してあるいは単独で前記遊技台に対して開閉可能に支持され同遊技台方向から供給されるパチンコ球を貯留するパチンコ球受け皿が形成された受け皿扉枠が併設されており、前記発射機構によるパチンコ球の発射準備位置を前記扉枠又は受け皿扉枠のいずれか下方位置側の部材の最下端よりも更に下方に配置させたことを特徴とするパチンコ遊技機。
（２）前記遊技球を弾発する発射ハンマを前記扉枠又は受け皿扉枠のいずれか下方位置側の部材の最下端よりも更に下方に配置させたことを特徴とする請求項１又は付記２に記載のパチンコ遊技機。
（３）前記パチンコ球は案内レールに併設されたストッパ部材によって下方から支持されることを特徴とする付記３に記載のパチンコ遊技機。
これによってパチンコ球は三方から支持されて安定した遊技球の発射を担保しうる。
（４）  支持枠体に支持され遊技者が対面して遊技を行う遊技面を備えた遊技台と、
同遊技台に対して開閉可能に支持され同遊技面の前方に配置される扉枠と、
前記扉枠の背面であって、前記遊技台の遊技面よりも下方に配置され遊技者の発射装置の操作に基づいてパチンコ球を遊技面に向かって発射させる発射機構とを備え、
同発射機構によって発射されたパチンコ球に基づいて前記遊技面における所定の遊技動作を実行させるようにしたパチンコ遊技機において、
前記発射機構によるパチンコ球の発射位置を正視状態で外部に露出しないように前記遊技台内部に収納するようにしたことを特徴とするパチンコ遊技機。
このようにすれば、従来では扉枠や上受け皿を解放した際にパチンコ球発射機構の発射案内レールは完全に露出することとなっていたが、少なくとも遊技球を発射する発射準備位置においては遊技台内部に収納されて外部に露出していないため扉枠や上受け皿を解放した際に誤って触れてしまう可能性が少なくなる。
（５）請求項１若しくは付記１〜４のいずれかの前提としてのパチンコ遊技機（おいて書き以前）を、
支持枠体に支持され遊技者が対面して遊技を行う遊技面を備えた遊技台と、
同遊技台に対して開閉可能に支持され同遊技面の前方に配置される扉枠と、
前記扉枠の背面であって、前記遊技台の遊技面よりも下方に配置され遊技者の発射装置の操作に基づいてパチンコ球を遊技面に向かって発射させる発射機構とを備え、
同発射機構によって発射されたパチンコ球に基づいて前記遊技面における所定の遊技動作を実行させるようにするとともに、前記遊技面を大型化し、同遊技面の大型化に伴って前記発射機構の配設スペースを狭くした遊技機において、たパチンコ遊技機において、
前記遊技面を大型化し、同遊技面の大型化に伴って同パチンコ球受け皿を下方に移動させ前記配給ノズルのパチンコ球放出位置に対する同パチンコ球受け皿の配置位置を移動前に比べより離間した位置とするようにしたパチンコ遊技機において、としたこと。
（６）前記前方側の発射待機球支持手段には落下したパチンコ球が遊技台内部に向かって流下していかないような流下防止手段が施されていることを特徴とする請求項１若しくは付記１〜５のいずれかに記載のパチンコ遊技機。
【符号の説明】
【００３４】
１…支持枠体としての外枠、４…遊技台としての遊技機本体、５…遊技盤、７…扉枠、８…上受け皿、１４…下受け皿、２０…遊技面、６５…発射案内レール、７０…発射待機球支持手段としての遊技球案内プレート。
【図１】
2011139955.tif 000003
【図２】
2011139955.tif 000004
【図３】
2011139955.tif 000005
【図４】
2011139955.tif 000006
【図５】
2011139955.tif 000007
【図６】
2011139955.tif 000008
【図７】
2011139955.tif 000009
【図８】
2011139955.tif 000010
【図９】
2011139955.tif 000011
【図１０】
2011139955.tif 000012
【図１１】
2011139955.tif 000013
【図１２】
2011139955.tif 000014
【図１３】
2011139955.tif 000015
【図１４】
2011139955.tif 000016
【図１５】
2011139955.tif 000017
【図１６】
2011139955.tif 000018
【図１７】
2011139955.tif 000019
【図１８】
2011139955.tif 000020
【図１９】
2011139955.tif 000021
【図２０】
2011139955.tif 000022
【図２１】
2011139955.tif 000023
【図２２】
2011139955.tif 000024
【図２３】
2011139955.tif 000025
【図２４】
2011139955.tif 000026
【図２５】
2011139955.tif 000027
【図２６】
2011139955.tif 000028
【図２７】
2011139955.tif 000029
【図２８】
2011139955.tif 000030
【図２９】
2011139955.tif 000031
【図３０】
2011139955.tif 000032
【図３１】
2011139955.tif 000033
【図３２】
2011139955.tif 000034
【図３３】
2011139955.tif 000035